(57)【要約】【課題】マウスのスクロール操作機能を向上したホイールモジュールを提供する。【解決手段】  ホイールモジュールは、ホイール１０を具えた回転部材、ホイールを軸支する懸垂ベース９、懸垂ベースをその前後端軸により軸支すると共に中立位置に復元する復元弾性部７、８を備えたフレームからなり、回路板２のスリット状開口にこれらをセットして、下蓋の支持柱によりフレーム左右の凸輪軸を支持することにより、ホイールモジュールを左右、前後傾動可能に支持する。ホイールモジュールの左右、前後の傾動操作は、回路板上の左右スイッチ４，５、中間スイッチに検出され、ホイールの回転は回転型エンコーダに出力されて、ディスプレイ上の左右、前後のスクロール操作として制御される。【選択図】  図３
0003105642.tif 000002
【実用新案登録請求の範囲】
【請求項１】
ホイールを具えた回転部材、ホイールを軸支する懸垂ベース、懸垂ベースをその前後端軸により左右揺動可能に軸支すると共に中立位置に復元する復元弾性部材を備えたフレームからなるホイール支持部材、
回路板上の支持柱により該ホイール支持部材のフレーム左右に突出する凸輪軸を前後回動可能に支持すると共に、回路板上に該フレーム左右に突出した左右ピンに対応する左右スイッチ、及び該フレーム後方に突出した中間スイッチピンに対応する中間スイッチを配置し、更にホイールの回転軸にエンコードパルス電子信号を出力する機械式回転型エンコーダ部材を設けることにより、
ホイールの左右傾動操作、ホイールの押圧操作及びその回動操作を検出して、画面の左右、前後のスクロール操作の制御信号とすることを特徴とする、
マウスのホイールモジュール。
【請求項２】
前記回転部材は、ゴム輪、ホイール、及び、ベアリング、からなり、前記ゴム輪はホイールの外周に設置され、前記ホイールは中心支持軸を備え、前記中心支持軸の端頭にベアリングが装着され、ホイールの中心支持軸は、前記ホイール中に装着された機械式回転型エンコーダを通して延長され、懸垂ベース左右両側壁の支持軸嵌合溝中にベアリングを介して回転可能に装着されることを特徴とする、請求項１記載のマウスのホイールモジュール。
【考案の詳細な説明】
【技術分野】
【０００１】
本考案は、マウスのホイールモジュールに関するものであって、特に、機械式回転型エンコーダ部材を利用し、懸垂ベースと懸垂ベースを支持するフレームからなる支持部材により、モジュールのホイールの回転、及び、ホイールの横方向の傾動によるディスプレイ上の画面の、前、後、左、右の、四つの方向のスクロールバーの移動操作を可能とするものである。
【背景技術】
【０００２】
マウスはコンピュータに不可欠なデータ入力機器で、座標の入力、項目・アイコンの選択、上下左右の画面スクロール等の基本操作機能を有し、現在、広く使用されているマウス設計においてはホイール、或いは、操作キーがマウス上に一般に見られる操作装置であって、ユーザーは手操作によりこれらの転動やクリック操作を実行する。公知のホイール、或いは、キー等の操作機構に対し、種々の異なる操作形態の構造が工夫され、提案されており、台湾特許公告番号３２０３０２号「マウスの第三軸入力装置」で開示されるように、ホイールは、基本のホイール機能（画面のスクロール移動）以外に、“縦向き傾動”機能（スクロールモードを切り換える）も兼ね備える。また、台湾特許公告番号４６１５４８「マウスの第三軸入力装置改良構造」で開示されるように、ホイールは転動により信号を出力する以外に、撓性を有する横向き（左右）軸棒により、一組の横向き（左右）支柱間に穿掛し、撓性を有する軸棒の一端に、小ホイールを設け、釣竿のような形状を呈して下に施圧され、“側向き湾曲”、或いは、反発回復し、ホイールが施圧されて側向き湾曲を呈する時、その一端の小ホイールは、側向き湾曲して下移し、下方の電源スイッチを触動して電源を導通させる。つまり、ホイールが釣竿のような形状で“側方向き湾曲”機能を有すると共に、スイッチを触動して信号を出力する。また、台湾特許公告番号５４３８７２「キーフリー式マウス改良構造」、中国特許公告番号CN２４７６８４３Y「キーフリーマウス」、或いは、米国特許番号０９／８２０９１１「キーフリーマウス」（三件は同一の技術内容）で、マウス内部の前後端上に、ボルトが溝に嵌合した枢軸構造を利用して、縦方向の枢転軸を構成し、マウスの上蓋が、左右（横向き）の“側向き傾動”できるようにし、キーの功能を形成するものである。上述から分かるように、マウス上のホイールやキーなどの操作装置は、“縦向き傾動”（上下）、或いは、“側方向き傾動”機能を備え、キー機能を備えるように設計され、マウス技術領域における公知技術とされる。更に、米国特許公開番号２００３／００２５６７３「多方向にスクロールするホイールアセンブリを有する入力装置」では、その技術内容は、前述の特許案中のマウスの“縦向き傾動”（上下）、或いは、“側向き傾動”技術を引用し、ホイールは、“縦向き傾動”（上下）、或いは、“側方向き傾動”機能を兼ね備え、キー功能を形成する。上述の多数の特許案は、構成部材や組み立て形態の違いがあり、それぞれ、特許構造となっている。
【特許文献１】特開平09-044301
【考案の開示】
【考案が解決しようとする課題】
【０００３】
本考案は、マウスのホイールモジュールを提供することを目的とし、機械式回転型エンコーダ部材を利用し、懸垂ベースと懸垂ベースを支持するフレームからなる支持部材により、回転部材のホイール回転、及び、側方向の傾動を実現し、ディスプレイ上の画面の、前、後、左、右の、四つの方向のスクロールバーの移動を制御し、構造が簡潔で、組み立てが容易である特徴を有する。
【課題を解決するための手段】
【０００４】
本考案のマウスのホイールモジュールは、以下のような構造を有する。前、後、左、右に揺動する支持部材を支持する固定部材、及び、支持部材上に装着される回転部材、前記回転部材が回転するとき生じるエンコードパルス電子信号を出力する機械式回転型エンコーダ部材を有する。固定部材と支持部材間に、中間スイッチ、及び、左右スイッチを有する回路板を装着する。支持部材は、懸垂ベースと懸垂ベースを支持するフレームからなり、懸垂ベースの前端軸と後端は、フレーム前、後端に位置する前軸支持フレームと後軸支持フレームに装着される。フレームの左右両側に、左右凸輪軸を有し、それぞれ、固定部材の対応する支持凹槽中に装着され、フレームの左右側壁上には、それぞれ、外に延伸した左右スイッチピンを設け、その後端底部に、左右復元バーを備え、スイッチピンは、それぞれ、回路板上の左右スイッチの上方に対応し、フレーム後端底部の中間スイッチピンは、回路板上の中間スイッチの上方に対応する。懸垂ベースの後端底部には、固定槽内に挿入される左右復元バーを有し、フレームの左右固定槽内にそれぞれ、左右復元弾性部材を装着し、左右復元バーは二つの復元弾性部材間に挿入される。
【０００５】
本考案のマウスのホイールモジュール中、支持部材上に装着された回転部材は、ゴム輪、ホイール、及び、ベアリング、からなる。ゴム輪はホイールの外周に設置され、ホイールは中心支持軸を備え、中心支持軸の端頭にベアリングが装着される。ホイールの中心支持軸は、ホイール中に装着された機械式回転型エンコーダを通して延長され、懸垂ベース左右両側壁の支持軸嵌合溝中にベアリングを介して回転可能に装着される。
【０００６】
本考案は、支持部材により、回転部材のホイールに、ホイール回転、及び、側向き傾動の功能を備えさせ、マウスのホイールモジュールにより、ディスプレイ上のイメージの前、後、左、右の四方向の移動を制御する。モジュールが左右に移動する時、モジュールの懸垂ベースは、同方向（左／右）に傾動し、懸垂ベース上の左右スイッチピンが、それぞれ、回路板上の左右スイッチと接触し、ウィンドウ画面の左右のスクロール移動を制御する。モジュールが下向きに施圧される時、フレームは下方に枢転移動し、フレーム下部の中間スイッチピンと回路板上の中間スイッチが接触し、マウスのキー機能を制御し、ホイールの回転に合わせて、ウィンドウ画面の左右のスクロール移動を制御する。
【考案の効果】
【０００７】
回転部材のホイール回転、及び、横方向の傾動を実現し、ディスプレイ上の画面の、前、後、左、右の、四つの方向のスクロールバーの移動を制御するものである。
【考案を実施するための最良の形態】
【０００８】
図３、図４、及び、図５を参照すると、本考案のマウスのホイールモジュールは、図３で示される分解部品を、順に、組み立ててなり、中間スイッチ３、及び、左右スイッチ４、５を有する回路板２を下蓋（固定部材）１上に装着する。回路板２上にスリット状の開口を開設し、ここに懸垂ベース９と懸垂ベース９を支持するフレーム６からなる支持部材を装着する。懸垂ベース９の前、後端には、それぞれ、前端軸９１と後端９２を有し、左右側壁上には、それぞれ、外側方に延長突出した左右スイッチピン９４、９５を設け、その後端底部に、左右復元バー９３を備え、左右側壁上には、更に、ホイール支持軸嵌合溝９６、９７と機械式の回転型エンコーダ１１の導線引き出し溝９８を設置する。
【０００９】
図６、及び、図７を参照すると、懸垂ベース９のフレーム６の前、後端は、それぞれ、前軸支持フレーム６１と後軸支持フレーム６２を設け、その両側壁上に、左右凸輪軸６４、６５、後端には、更に、復元弾性部材固定凹溝６６を有し、後端底部には中間スイッチピン６３を設ける。フレーム６の左右凸輪軸６４、６５は、下蓋１上の支持柱１２の支持凹溝部に嵌合支持される。懸垂ベース９の前、後端軸９１、９２は、それぞれ、フレーム６の前、後端の前軸支持フレーム６１と後軸支持フレーム６２上に装着される。懸垂ベース９の左右復元バー９３はフレーム６の復元弾性部材固定凹溝部６６に挿入され、復元弾性部材固定凹溝部６６内の二つの復元弾性部材７、８間に挿入・配置される。このとき同時に、懸垂ベース９の左右スイッチピン９４、９５は、それぞれ、回路板２上の左右スイッチ４、５の上方位置に対応し、フレーム６後端底部の中間スイッチピン６３は回路板２上の中間スイッチ３の上方位置に夫々対応して配置される。懸垂ベース９中に、回転部材を装着し、ホイール部材は、ホイール１０、機械式回転型エンコーダ１１、ゴム輪１３、及び、ベアリング１４、からなる。機械式回転型エンコーダ１１は、ホイール１０の中心支持軸上に装着され、ベアリング１４は中心支持軸の端部に装着される。ゴム輪１３はホイール１０の外周に設置され、ホイール部材の各部材装着後、懸垂ベース９の支持軸嵌合溝９６、９７上に中心支持軸を挿通・装着し、機械式回転型エンコーダ１１の電気端子引き線１１aを、懸垂ベース９の導線引き出し溝９８から引き出し、最後に、懸垂ベース９上にキャップ１５を装着して、本考案のホイールモジュールの組み立てが完成する。
【００１０】
図８、図９、及び、図１０を参照すると、本考案のマウスのホイールモジュールがマウス上に装着される構造は、マウスハウジング１、及び、マウス中に装着されるホイールモジュールIIからなる。
【００１１】
本考案のホイールモジュールの操作は、図１、図２、図３、及び、図１０を同時に参照すると、ホイールモジュールIIのホイール１０が左右に移動する時、ホイールモジュールIIの懸垂ベース９は、同方向（左／右）に傾動し、懸垂ベース９上の左右スイッチピン９４、９５が、それぞれ、回路板２上の左右スイッチ４、５と接触して、ウィンドウ画面の左右のスクロール移動を制御する。左右復元バー９３はフレーム６の復元弾性部材固定凹溝部６６に挿入されて、二つの復元弾性部材７、８間に挿入されているため、懸垂ベース９は、フレーム６内で、ホイール１０が移動することにより横向きの傾動操作が行われた後、負荷から開放され次第、復元弾性部材７、８の弾力によりフレーム６の元の位置に回復する。ホイールモジュールIIが下向きに押圧される時、懸垂ベース９とフレーム６とは相対的に移動せず、懸垂ベース９はフレーム６内でフレーム６と同時に下方に移動して、フレーム６下部の中間スイッチピン６３と回路板上の中間スイッチ３が接触し、マウスのキー機能を制御し、ホイール１０の回転に合わせて、ウィンドウ画面の上下のスクロール移動を制御する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や改良を加えることができ、従って本考案明の保護範囲は、実用新案請求の範囲で限定した内容はその基準とする。
【図面の簡単な説明】
【００１３】
【図１】本考案のマウスのホイールモジュール斜視図である。
【図２】本考案のもうひとつの角度から見た斜視図である。
【図３】本考案の各部材の分解図である。
【図４】本考案の懸垂ベースの構造拡大図である。
【図５】図４の背面図である。
【図６】本考案の懸垂ベースを承託するフレーム構造の拡大図である。
【図７】図６の背面図である。
【図８】本考案のマウスの上視図である。
【図９】図８のC-Cに沿った断面図である。
【図１０】本考案のマウスの立体図である。
【符号の説明】
【００１４】
１…下蓋
２…回路板
３…中間スイッチ
４、５…左右スイッチ
６…フレーム
７、８  …復元弾性部材
９…懸垂ベース
１０…ホイール
１１…回転型エンコーダ
１１a…引き線
１２…支持柱
１３…ゴム輪
１４…ベアリング
１５…キャップ
６１、６２…前、後軸支持フレーム
６３…中間スイッチピン
６４、６５…左、右凸輪軸
６６…復元弾性部材固定凹溝部
９１、９２…前端軸、後端軸
９３…左右復元バー
９４、９５…左右スイッチピン
９６、９７…ホイール支持軸嵌合溝
９８…導線引き出し溝
【図１】
0003105642.tif 000003
【図２】
0003105642.tif 000004
【図３】
0003105642.tif 000005
【図４】
0003105642.tif 000006
【図５】
0003105642.tif 000007
【図６】
0003105642.tif 000008
【図７】
0003105642.tif 000009
【図８】
0003105642.tif 000010
【図９】
0003105642.tif 000011
【図１０】
0003105642.tif 000012